【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
透過型或いは非透過型のディスプレイを備えた拡張現実感提示装置と、ちらしに掲載される各商品の在庫情報及び販売情報のうちの少なくとも何れか一方を管理する管理装置とを、ネットワークを介して接続する情報処理システムであって、
前記拡張現実感提示装置は、
前記拡張現実感提示装置のユーザが購入予定の商品を指定する際に、前記ちらしに掲載される前記指定の商品に係る画像データを撮影する撮像手段と、
前記撮像手段により撮影された前記商品に係る画像データを前記管理装置に対して送信する第１の送信手段とを有し、
前記管理装置は、
前記拡張現実感提示装置の前記第１の送信手段から前記商品に係る画像データを受信し、前記商品に係る画像データを解析することにより前記ユーザの指定した商品を特定し、前記ユーザと前記特定した商品との対応付けを行う特定手段と、
前記拡張現実感提示装置から、前記ユーザに対応付けられた商品に関する商品情報の送信を要求された場合、前記ユーザに対応付けられた商品の在庫情報及び販売情報のうちの少なくとも何れか一方を取得する取得手段と、
前記取得手段により取得された在庫情報及び販売情報のうちの少なくとも何れか一方を前記拡張現実感提示装置に対して送信する第２の送信手段とを有し、
前記拡張現実感提示装置は、
前記ディスプレイに、前記管理装置の前記第２の送信手段から送信された在庫情報及び販売情報のうちの少なくとも何れか一方を示すコンピュータグラフィック画像データを、現実空間に存在する前記ちらしに整合するよう重畳表示する提示手段を更に有することを特徴とする情報処理システム。
【請求項２】
前記管理装置の前記取得手段は、最後に登録された在庫情報及び販売情報のうちの少なくとも何れか一方を取得し、前記管理装置の前記第２の送信手段は、当該最後に登録された在庫情報及び販売情報のうちの少なくとも何れか一方を前記拡張現実感提示装置に対して送信することを特徴とする請求項１に記載の情報処理システム。
【請求項３】
前記拡張現実感提示装置は、前記コンピュータグラフィック画像データにより在庫情報及び販売情報のうちの少なくとも何れか一方が示された商品に対するユーザの案内情報要求を前記管理装置に対して送信し、
前記管理装置は、前記拡張現実感提示装置から前記案内情報要求を受信した場合、当該商品の販売店舗に係る情報を前記拡張現実感提示装置に対して送信し、
前記拡張現実感提示装置の前記提示手段は、前記ディスプレイに、前記管理装置から受信した前記販売店舗に係る情報を示すコンピュータグラフィック画像データを、現実空間に存在する前記ちらしに整合するよう重畳表示することを特徴とする請求項１又は２に記載の情報処理システム。
【請求項４】
前記管理装置の特定手段は、更に、前記管理装置に備えられたデータベースに、前記ユーザと前記特定した商品との対応付けを登録し、
前記管理装置の前記取得手段は、前記拡張現実感提示装置から、前記ちらしに掲載される商品に係る画像データを受信した場合、当該画像データのヘッダに記録される前記ユーザに係るユーザ情報と当該画像データとの組み合わせが、前記データベースに登録される前記ユーザと前記特定した商品との対応付けと一致するか否かを判定し、一致した場合、前記ユーザに対応付けられる商品の在庫情報及び販売情報のうちの少なくとも何れか一方を取得することを特徴とする請求項１乃至３の何れか１項に記載の情報処理システム。
【請求項５】
前記管理装置の前記第２の送信手段は、前記ユーザ情報と前記画像データとの組み合わせと、前記データベースに登録される前記ユーザと前記特定した商品との対応付けとが一致した場合、前記ちらしに掲載された前記商品が前記データベースにおいて過去に登録された商品であることを通知するための情報も、前記拡張現実感提示装置に対して送信することを特徴とする請求項４に記載の情報処理システム。
【請求項６】
前記管理装置の前記取得手段は、前記ユーザの個人情報に応じた商品を選択し、当該商品に係る情報を取得し、前記管理装置の前記第２の送信手段は、当該商品に係る情報を前記拡張現実感提示装置に対して送信することを特徴とする請求項１に記載の情報処理システム。
【請求項７】
前記拡張現実感提示装置は、
前記撮像手段の画角に捉えられた前記ちらしに対する前記ユーザによる商品の指定動作を検知する検知手段と、
前記検知手段により検知された指定動作の対象となった前記商品に係る画像データを取得する第２の取得手段とを更に有し、
前記第１の送信手段は、前記第２の取得手段により取得された前記商品に係る画像データを前記管理装置に対して送信することを特徴とする請求項１乃至６の何れか１項に記載の情報処理システム。
【請求項８】
透過型或いは非透過型のディスプレイを備えた拡張現実感提示装置と、ちらしに掲載される各商品の在庫情報及び販売情報のうちの少なくとも何れか一方を管理する管理装置とを、ネットワークを介して接続する情報処理システムによって実行される情報処理方法であって、
前記拡張現実感提示装置は、
前記拡張現実感提示装置のユーザが購入予定の商品を指定する際に、前記ちらしに掲載される前記指定の商品に係る画像データを撮影する撮像ステップと、
前記撮像ステップにより撮影された前記商品に係る画像データを前記管理装置に対して送信する第１の送信ステップとを有し、
前記管理装置は、
前記拡張現実感提示装置から前記商品に係る画像データを受信し、前記商品に係る画像データを解析することにより前記ユーザの指定した商品を特定し、前記ユーザと前記特定した商品との対応付けを行う特定ステップと、
前記拡張現実感提示装置から、前記ユーザに対応付けられた商品に関する商品情報の送信を要求された場合、前記ユーザに対応付けられた商品の在庫情報及び販売情報のうちの少なくとも何れか一方を取得する取得ステップと、
前記取得ステップにより取得された在庫情報及び販売情報のうちの少なくとも何れか一方を前記拡張現実感提示装置に対して送信する第２の送信ステップとを有し、
前記拡張現実感提示装置は、
前記ディスプレイに、前記管理装置から送信された在庫情報及び販売情報のうちの少なくとも何れか一方を示すコンピュータグラフィック画像データを、現実空間に存在する前記ちらしに整合するよう重畳表示する提示ステップを更に有することを特徴とする情報処理方法。
【請求項９】
透過型或いは非透過型のディスプレイを備えた拡張現実感提示装置と、ちらしに掲載される各商品の在庫情報及び販売情報のうちの少なくとも何れか一方を管理する管理装置とを、ネットワークを介して接続する情報処理システムによって実行される情報処理方法をコンピュータに実行させるためのプログラムであって、
前記拡張現実感提示装置のコンピュータに、
前記拡張現実感提示装置のユーザが購入予定の商品を指定する際に、前記ちらしに掲載される前記指定の商品に係る画像データを撮影する撮像ステップと、
前記撮像ステップにより撮影された前記商品に係る画像データを前記管理装置に対して送信する第１の送信ステップとを実行させ、
前記管理装置のコンピュータに、
前記拡張現実感提示装置から前記商品に係る画像データを受信し、前記商品に係る画像データを解析することにより前記ユーザの指定した商品を特定し、前記ユーザと前記特定した商品との対応付けを行う特定ステップと、
前記拡張現実感提示装置から、前記ユーザに対応付けられた商品に関する商品情報の送信を要求された場合、前記ユーザに対応付けられた商品の在庫情報及び販売情報のうちの少なくとも何れか一方を取得する取得ステップと、
前記取得ステップにより取得された在庫情報及び販売情報のうちの少なくとも何れか一方を前記拡張現実感提示装置に対して送信する第２の送信ステップとを実行させ、
前記拡張現実感提示装置のコンピュータに、
前記ディスプレイに、前記管理装置から送信された在庫情報及び販売情報のうちの少なくとも何れか一方を示すコンピュータグラフィック画像データを、現実空間に存在する前記ちらしに整合するよう重畳表示する提示ステップを更に実行させることを特徴とするプログラム。
【手続補正２】
【補正対象書類名】明細書
【補正対象項目名】発明の名称
【補正方法】変更
【補正の内容】
【発明の名称】情報処理システム、情報処理方法及びプログラム
【手続補正３】
【補正対象書類名】明細書
【補正対象項目名】０００１
【補正方法】変更
【補正の内容】
【０００１】
本発明は、現実空間の映像とコンピュータグラフィックス画像データとを合成して重畳表示させる拡張現実技術を利用した情報処理システム、情報処理方法及びプログラムに関するものである。
【手続補正４】
【補正対象書類名】明細書
【補正対象項目名】０００８
【補正方法】変更
【補正の内容】
【０００８】
本発明の情報処理システムは、透過型或いは非透過型のディスプレイを備えた拡張現実感提示装置と、ちらしに掲載される各商品の在庫情報及び販売情報のうちの少なくとも何れか一方を管理する管理装置とを、ネットワークを介して接続する情報処理システムであって、前記拡張現実感提示装置は、前記拡張現実感提示装置のユーザが購入予定の商品を指定する際に、前記ちらしに掲載される前記指定の商品に係る画像データを撮影する撮像手段と、前記撮像手段により撮影された前記商品に係る画像データを前記管理装置に対して送信する第１の送信手段とを有し、前記管理装置は、前記拡張現実感提示装置の前記第１の送信手段から前記商品に係る画像データを受信し、前記商品に係る画像データを解析することにより前記ユーザの指定した商品を特定し、前記ユーザと前記特定した商品との対応付けを行う特定手段と、前記拡張現実感提示装置から、前記ユーザに対応付けられた商品に関する商品情報の送信を要求された場合、前記ユーザに対応付けられた商品の在庫情報及び販売情報のうちの少なくとも何れか一方を取得する取得手段と、前記取得手段により取得された在庫情報及び販売情報のうちの少なくとも何れか一方を前記拡張現実感提示装置に対して送信する第２の送信手段とを有し、前記拡張現実感提示装置は、前記ディスプレイに、前記管理装置の前記第２の送信手段から送信された在庫情報及び販売情報のうちの少なくとも何れか一方を示すコンピュータグラフィック画像データを、現実空間に存在する前記ちらしに整合するよう重畳表示する提示手段を更に有することを特徴とする。
本発明の情報処理方法は、透過型或いは非透過型のディスプレイを備えた拡張現実感提示装置と、ちらしに掲載される各商品の在庫情報及び販売情報のうちの少なくとも何れか一方を管理する管理装置とを、ネットワークを介して接続する情報処理システムによって実行される情報処理方法であって、前記拡張現実感提示装置は、前記拡張現実感提示装置のユーザが購入予定の商品を指定する際に、前記ちらしに掲載される前記指定の商品に係る画像データを撮影する撮像ステップと、前記撮像ステップにより撮影された前記商品に係る画像データを前記管理装置に対して送信する第１の送信ステップとを有し、前記管理装置は、前記拡張現実感提示装置から前記商品に係る画像データを受信し、前記商品に係る画像データを解析することにより前記ユーザの指定した商品を特定し、前記ユーザと前記特定した商品との対応付けを行う特定ステップと、前記拡張現実感提示装置から、前記ユーザに対応付けられた商品に関する商品情報の送信を要求された場合、前記ユーザに対応付けられた商品の在庫情報及び販売情報のうちの少なくとも何れか一方を取得する取得ステップと、前記取得ステップにより取得された在庫情報及び販売情報のうちの少なくとも何れか一方を前記拡張現実感提示装置に対して送信する第２の送信ステップとを有し、前記拡張現実感提示装置は、前記ディスプレイに、前記管理装置から送信された在庫情報及び販売情報のうちの少なくとも何れか一方を示すコンピュータグラフィック画像データを、現実空間に存在する前記ちらしに整合するよう重畳表示する提示ステップを更に有することを特徴とする。
本発明のプログラムは、透過型或いは非透過型のディスプレイを備えた拡張現実感提示装置と、ちらしに掲載される各商品の在庫情報及び販売情報のうちの少なくとも何れか一方を管理する管理装置とを、ネットワークを介して接続する情報処理システムによって実行される情報処理方法をコンピュータに実行させるためのプログラムであって、前記拡張現実感提示装置のコンピュータに、前記拡張現実感提示装置のユーザが購入予定の商品を指定する際に、前記ちらしに掲載される前記指定の商品に係る画像データを撮影する撮像ステップと、前記撮像ステップにより撮影された前記商品に係る画像データを前記管理装置に対して送信する第１の送信ステップとを実行させ、前記管理装置のコンピュータに、前記拡張現実感提示装置から前記商品に係る画像データを受信し、前記商品に係る画像データを解析することにより前記ユーザの指定した商品を特定し、前記ユーザと前記特定した商品との対応付けを行う特定ステップと、前記拡張現実感提示装置から、前記ユーザに対応付けられた商品に関する商品情報の送信を要求された場合、前記ユーザに対応付けられた商品の在庫情報及び販売情報のうちの少なくとも何れか一方を取得する取得ステップと、前記取得ステップにより取得された在庫情報及び販売情報のうちの少なくとも何れか一方を前記拡張現実感提示装置に対して送信する第２の送信ステップとを実行させ、前記拡張現実感提示装置のコンピュータに、前記ディスプレイに、前記管理装置から送信された在庫情報及び販売情報のうちの少なくとも何れか一方を示すコンピュータグラフィック画像データを、現実空間に存在する前記ちらしに整合するよう重畳表示する提示ステップを更に実行させることを特徴とする。